(57)【要約】【課題】  複数の矩形紙状物をサイズの大小に拘わらず位置決めした状態で積層し綴じることを可能とする整列具を提供することである。【解決手段】  複数の矩形紙状物を積層し綴じるための整列具であって、直交する第１辺と第２辺とでそれぞれ接合された表面シート及び裏面シートと、該表面シートと該裏面シートとの間に形成された収容部と、を備え、該第１辺と該第２辺との少なくとも一方の辺上に該収容部に収容された矩形紙状物を局所的に露出させ、該収容部に収容された複数の矩形紙状物に対して綴じ作業を施すことを許容する切欠き部が形成されていることを特徴とする。【選択図】図１
2014136422.tif 000002
【特許請求の範囲】
【請求項１】
複数の矩形紙状物を積層し綴じるための整列具であって、
直交する第１辺と第２辺とでそれぞれ接合された表面シート及び裏面シートと、
該表面シートと該裏面シートとの間に形成された収容部と、を備え、
該第１辺と該第２辺との少なくとも一方の辺上に該収容部に収容された矩形紙状物を局所的に露出させ、該収容部に収容された複数の矩形紙状物に対して綴じ作業を施すことを許容する切欠き部が形成されていることを特徴とする整列具。
【請求項２】
前記切欠き部は、前記第１辺と前記第２辺との交点を含む前記整列具の角に形成されている請求項１記載の整列具。
【請求項３】
前記収容部に収容された複数の矩形紙状物の角部を露出するとともに該複数の矩形紙状物の引っ張りを許容する引張用開口部が、前記第１辺と前記第２辺との交点を含む前記整列具の角に形成されている請求項１記載の整列具。
【発明の詳細な説明】
【技術分野】
【０００１】
本発明は、複数の矩形紙状物を積層し綴じるための整列具に関する。
【背景技術】
【０００２】
紙や封筒、クリアファイル等の矩形紙状物を複数枚重ね合わせてステープラー（紙綴じ器）を使用して綴じたり、パンチ穴をあけたりして綴じることがある。このように複数枚の矩形紙状物を綴じることにより、乱雑に散乱し易い書類等をきれいに整理整頓することができる。
【先行技術文献】
【特許文献】
【０００３】
【特許文献１】特開平８−３００８４８号公報
【発明の概要】
【発明が解決しようとする課題】
【０００４】
ステープラー又はパンチ穴を開けたりして矩形紙状物を綴じる際、複数枚の矩形紙状物を１枚ずつ整列するように積層していくのは手間が掛かる。特に、矩形紙状物のサイズが互いに異なると、単に複数の矩形紙状物を重ねあわせて積層しただけでは、ステープラー留めする部分やパンチ穴を開ける部分が矩形紙状物のサイズの相違によってずれてしまったりして、うまく綴じられない恐れがある。
【０００５】
複数の矩形紙状物を１枚ずつ整列するように積層していくのは、矩形紙状物のサイズが相違し更に矩形紙状物の数が多いほど手間がかかる上、複数の矩形紙状物を完全に位置決めして積層するのは非常に困難であるという問題がある。
【０００６】
本発明はこのような点に鑑みてなされたものであり、その目的とするところは、複数の矩形紙状物をサイズの大小に拘わらず位置決めした状態で積層し綴じることを可能とする整列具を提供することである。
【課題を解決するための手段】
【０００７】
本発明によると、複数の矩形紙状物を積層し綴じるための整列具であって、直交する第１辺と第２辺とでそれぞれ接合された表面シート及び裏面シートと、該表面シートと該裏面シートとの間に形成された収容部と、を備え、該第１辺と該第２辺との少なくとも一方の辺上に該収容部に収容された矩形紙状物を局所的に露出させ、該収容部に収容された複数の矩形紙状物に対して綴じ作業を施すことを許容する切欠き部が形成されていることを特徴とする整列具が提供される。
【０００８】
好ましくは、前記切欠き部は、前記第１辺と前記第２辺との交点を含む前記整列具の角に形成されている。好ましくは、前記収容部に収容された複数の矩形紙状物の角部を露出するとともに該複数の矩形紙状物の引っ張りを許容する引張用開口部が、前記第１辺と前記第２辺との交点を含む前記整列具の角に形成されている。
【発明の効果】
【０００９】
本発明の整列具によると、整列具の収容部に収容された複数の矩形紙状物は、第１辺と第２辺とでそれぞれ位置決めされるため、収容された複数の矩形紙状物の角が揃う。整列具内に収容された複数の矩形紙状物を角が揃った状態で、切欠き部を介して複数の矩形紙状物に対してステープラー留めやパンチ穴開け等の綴じ作業が可能となる。
【図面の簡単な説明】
【００１０】
【図１】サイズの異なる複数枚の矩形紙状物を第１実施形態の整列具に収容する様子を示す斜視図である。
【図２】サイズの異なる複数枚の矩形紙状物が第１実施形態の整列具の収容部内に収容された状態の平面図である。
【図３】第２実施形態の整列具の斜視図である。
【図４】サイズの異なる複数枚の矩形紙状物を第３実施形態の整列具内に収容する様子を示す斜視図である。
【図５】サイズの異なる複数枚の矩形紙状物が第３実施形態の整列具の収容部内に収容された状態の平面図である。
【図６】第４実施形態の整列具の平面図である。
【図７】第５実施形態の整列具の斜視図である。
【図８】サイズの異なる複数枚の矩形紙状物を第５実施形態の整列具内に収容した後引張用開口部から矩形紙状物を引っ張る様子を図である。
【発明を実施するための形態】
【００１１】
以下、本発明の実施形態を図面を参照して詳細に説明する。図１を参照すると、サイズの異なる複数枚の矩形紙状物１６を本発明第１実施形態に係る整列具２内に収容する状態を示す斜視図が示されている。整列具２は、１枚のシートを折り曲げ部（第２接合部）１０ｂで二つに折り曲げ、溶着部（第１接合部）１０ａで一辺を溶着して形成されている。
【００１２】
即ち、整列具２は、直交する第１辺８ａと第２辺８ｂとでそれぞれ接合された表面シート４及び裏面シート６と、表面シート４と裏面シート６との間に形成された収容部１２を備えている。更に、第２辺８ｂにパンチ穴形成用の一対の切欠き部１４が形成されている。
【００１３】
本実施形態では、表面シート４及び裏面シート６は透明樹脂シートから形成されているが、表裏シート４，６はこれに限定されるものではなく、不透明な樹脂シート、金属シート、紙等から形成されてもよい。
【００１４】
矩形紙状物１６は、サイズが異なる複数枚の紙等の矩形紙状物１６ａ，１６ｂ，１６ｃから構成されている。矩形紙状物１６は、紙や板紙の他、樹脂シートやクリアホルダー等も含む。
【００１５】
複数枚の矩形紙状物１６ａ，１６ｂ，１６ｃを整列具２の収容部１２内に一番奥側まで収容すると、各矩形紙状物１６ａ，１６ｂ，１６ｃの直交する２辺が整列具２の第１接合部１０ａ及び第２接合部１０ｂに当接して、複数枚の矩形紙状物１６ａ，１６ｂ，１６ｃは図２に示されるように、整列された状態で整列具１２の収容部１２内に収容される。
【００１６】
よって、この状態で、切欠き部１４から露出した矩形紙状物１６にパンチ穴を形成することができ、このパンチ穴を利用してホルダーに複数枚の矩形紙状物１６ａ，１６ｂ，１６ｃを綴じることができる。
【００１７】
図３を参照すると、本発明第２実施形態の整列具２Ａの斜視図が示されている。本実施形態の整列具２Ａでは、１枚のシートを第１辺８ａで二つに折り曲げ、第２辺８ｂを溶着したものであり、折り曲げで形成した第１辺８ａが第１接合部１１ａとなり、第２辺８ｂの溶着部１１ｂが第２接合部となる。
【００１８】
そして、直交する第１辺８ａと第２辺８ｂとでそれぞれ接合された表面シート４と裏面シート６との間に収容部１２が形成される。更に、第１辺８ａと第２辺８ｂとの交点を含む角部に切欠き部１８が形成されている。
【００１９】
本実施形態の整列具２Ａでは、図１に示したような複数枚の矩形紙状物１６ａ，１６ｂ，１６ｃを整列具２Ａの収容部１２内に直交する矩形紙状物１６の２辺が整列具２Ａの第１接合部１１ａ及び第２接合部１１ｂに当接するまで収容すると、複数枚の矩形紙状物１６ａ，１６ｂ，１６ｃは整列された状態で整列具２Ａ内に収容されたことになり、切欠き部１８から突出した矩形紙状物１６の部分をステープラーで綴じることができる。
【００２０】
図４を参照すると、複数枚の矩形紙状物１６を本発明第３実施形態の整列具２Ｂ内に収容する様子を示す斜視図が示されている。本実施形態の整列具２Ｂは不透明な樹脂シートから形成されているが、透明な樹脂シートから形成してもよい。
【００２１】
整列具２Ｂは三角形状の樹脂シートを第１辺８ａの折り曲げ部（第１接合部）１１ａで二つに折り曲げて、第１辺８ａと直交する第２辺８ｂに融着部（第２接合部）１１ｂを形成し、表面シート４ａと裏面シート４ｂとの間に収容部１２ａを形成し、更に第１辺８ａと第２辺８ｂとの交点を含む整列具２Ｂの角部に切欠き部１８を形成したものである。整列具２Ｂは、収容する矩形紙状物１６のサイズよりも小さいサイズを有している。
【００２２】
複数枚の矩形紙状物１６ａ，１６ｂ，１６ｃを整列具２Ｂの収容部１２ａにいっぱいに挿入すると、各矩形紙状物１６ａ，１６ｂ，１６ｃの直交する２辺が整列具２Ｂの直交する第１接合部１１ａ及び第２接合部１１ｂに当接する。
【００２３】
その結果、図５に示すように、複数枚の矩形紙状物１６ａ，１６ｂ，１６ｃは整列した状態で整列具２Ｂの収容部１２ａ内に収容され、角部１９が切欠き部１８から突出して露出する。よって、露出した角部１９をステープラーで綴じることにより、複数枚の矩形紙状物１６ａ，１６ｂ，１６ｃを整列した状態で一体化することができる。
【００２４】
図６を参照すると、本発明第４実施形態の整列具２Ｃの平面図が示されている。本実施形態では、裏面シート６ｂは表面シート４ｂより大きなサイズを有している。その他の構成は図３に示した第２実施形態の整列具２Ａの構成と同様である。
【００２５】
このように、裏面シート６ｂを表面シート４ｂより大きく形成することにより、裏面シート６ｂを複数枚の矩形紙状物１６を収容する際のガイドとして利用することができる。表面シート４ｂを裏面シート６ｂより大きく形成するようにしてもよい。
【００２６】
図７を参照すると、本発明第５実施形態の整列具２Ｄの斜視図が示されている。本実施形態では、不透明な樹脂シートを第１辺８ａで二つに折り曲げて第１接合部１１ａとし、第１辺８ａに直交する第２辺８ｂを融着して第２接合部１１ｂとし、表面シート２４と裏面シート２６との間に収容部１２を形成する。
【００２７】
そして、第１接合部１１ａにパンチ穴形成用の一対の切欠き部１４を形成し、第１辺８ａと第２辺８ｂとの交点を含む整列具２Ｄの角部に引張用開口部２０を形成する。
【００２８】
このように、整列具２Ｄの角部に引張用開口部２０を形成したことにより、図８に示すように、複数枚の矩形紙状物１６ｃ，１６ｄ，１６ｅを整列具２Ｄ内に収容した後、引張用開口部２０から矢印Ａに示すように矩形紙状物１６ｃ〜１６ｅを引っ張ることで、複数枚の矩形紙状物１６ｃ〜１６ｅの位置合わせを容易にすることができる。
【００２９】
位置合わせをした後、引張用開口部２０から露出した部分をステープラーで綴じるか、又は一対の切欠き部１４から露出した部分にパンチ穴を形成する。本実施形態の整列具２Ｄは不透明な樹脂シートから形成したが、透明な樹脂シートから形成するようにしてもよい。或いは、板紙、金属シート等から形成するようにしてもよい。
【符号の説明】
【００３０】
２，２Ａ，２Ｂ，２Ｃ，２Ｄ    整列具
４，４ａ，４ｂ    表面シート
６，６ａ，６ｂ    裏面シート
８ａ    第１辺
８ｂ    第２辺
１０ａ，１１ａ    第１接合部
１０ｂ，１１ｂ    第２接合部
１２    収容部
１４    切欠き部
１６，１６ａ，１６ｂ，１６ｃ    矩形紙状物
１８    切欠き部
１９    角部
２０    引張用開口部
２４    表面シート
２６    裏面シート
【図１】
2014136422.tif 000003
【図２】
2014136422.tif 000004
【図３】
2014136422.tif 000005
【図４】
2014136422.tif 000006
【図５】
2014136422.tif 000007
【図６】
2014136422.tif 000008
【図７】
2014136422.tif 000009
【図８】
2014136422.tif 000010